(57)【要約】【課題】  異なる二つのメモリカードを読み取りが可能なメモリカード用コネクタを提供する。【解決手段】  ベースと、該ベースの内部に収容される端子組と、該ベースと結合するカバーと、を備え、該端子組は、該ベースの一端に位置される端部と、該端部からベースの内部へ伸びる弾性アームを有し、該弾性アームに第１メモリカードと電気接続可能な第１接触部と、第２メモリカードと電気接続可能な第２接続部とが設けられるメモリカード用コネクタであって、一部の前記弾性アームに更に押圧部が設けられ、第２メモリカードがベースに挿入すると、該押圧部を押圧することにより、押圧部を有する弾性アームが第２メモリカードとの電気接続できないことを特徴とする。【選択図】  図１
0003129838.tif 000002
【実用新案登録請求の範囲】
【請求項１】
ベースと、該ベースの内部に収容される端子組と、該ベースと結合するカバーと、を備え、該端子組は、該ベースの一端に位置される端部と、該端部からベースの内部へ伸びる弾性アームを有し、該弾性アームに第１メモリカードと電気接続可能な第１接触部と、第２メモリカードと電気接続可能な第２接続部とが設けられるメモリカード用コネクタであって、
一部の前記弾性アームに更に押圧部が設けられ、第２メモリカードがベースに挿入すると、該押圧部を押圧することにより、押圧部を有する弾性アームが第２メモリカードとの電気接続できないことを特徴とするメモリカード用コネクタ。
【請求項２】
前記端子組の第１接触部は、該弾性アームの端部に設けられると共に、その高さが第２接触部の高さより高いことを特徴とする請求項１に記載のメモリカード用コネクタ。
【請求項３】
前記カバーに第１メモリカードと係合可能な係合部が設けられることにより、第１メモリカードの脱離を防止できることを特徴とする請求項１に記載のメモリカード用コネクタ。
【請求項４】
前記ベースに第２メモリカードと係合可能な弾性プレートが設けられることにより、第２メモリカードの脱離を防止できることを特徴とする請求項１に記載のメモリカード用コネクタ。
【請求項５】
前記ベースに位置決め装置が設けられることにより、第１メモリカードと第１接続部、及び第２メモリカードと第２接続部の接続力を向上することができることを特徴とする請求項１に記載のメモリカード用コネクタ。
【請求項６】
前記第１メモリカードは、ＭＭＣ（登録商標）-Ｍｉｃｒｏカード又はこのＭＭＣ-Ｍｉｃｒｏカードの構造に類似するメモリカードであることを特徴とする請求項１に記載のメモリカード用コネクタ。
【請求項７】
前記第２メモリカードは、ＭｉｃｒｏＳＤ（登録商標）カード又はこのＭｉｃｒｏＳＤカードの構造に類似するメモリカードであることを特徴とする請求項１に記載のメモリカード用コネクタ。
【考案の詳細な説明】
【技術分野】
【０００１】
本考案は、特に異なる二つのメモリカードを読み取りが可能なメモリカード用コネクタに関するものである。
【背景技術】
【０００２】
メモリカードの規格（形状や体積や端子の配置など）は、製造メーカーによって異なっているので、これらのメモリカードを読み取る場合、異なるメモリカード読取装置を用意しなければならないので、非常に面倒である。
【０００３】
又、一つの装置によって異なるメモリカードを読み取りが可能な製品も開発され、これらの製品に異なるメモリカード読取装置を設置することにより、異なるメモリカードの読み取りが可能という効果を達成できる。しかし、製品の体積が大きいと共に、構造が複雑であるという問題を有していた。
【考案の開示】
【考案が解決しようとする課題】
【０００４】
上述したように、従来のメモリカード読取装置や製品は、異なるメモリカードを読み取ることがでず、又は、体積が大きく且つ構造が複雑であるという問題を有するので、更に改良する必要があった。
【０００５】
そこで、案出されたのが本考案であって、異なる二つのメモリカードを読み取り可能なメモリカード用コネクタを提供することを目的としている。
【課題を解決するための手段】
【０００６】
請求項１に記載した考案は、ベースと、該ベースの内部に収容される端子組と、該ベースと結合するカバーと、を備え、該端子組は、該ベースの一端に位置される端部と、該端部からベースの内部へ伸びる弾性アームを有し、該弾性アームに第１メモリカードと電気接続可能な第１接触部と、第２メモリカードと電気接続可能な第２接続部とが設けられるメモリカード用コネクタであって、一部の前記弾性アームに更に押圧部が設けられ、第２メモリカードがベースに挿入すると、該押圧部を押圧することにより、押圧部を有する弾性アームが第２メモリカードとの電気接続できないことを特徴とするメモリカード用コネクタである。
【０００７】
請求項２に記載した考案は、前記端子組の第１接触部は、該弾性アームの端部に設けられると共に、その高さが第２接触部の高さより高いことを特徴とする請求項１に記載のメモリカード用コネクタである。
【０００８】
請求項３に記載した考案は、前記カバーに第１メモリカードと係合可能な係合部が設けられることにより、第１メモリカードの脱離を防止できることを特徴とする請求項１に記載のメモリカード用コネクタである。
【０００９】
請求項４に記載した考案は、前記ベースに第２メモリカードと係合可能な弾性プレートが設けられることにより、第２メモリカードの脱離を防止できることを特徴とする請求項１に記載のメモリカード用コネクタである。
【００１０】
請求項５に記載した考案は、前記ベースに位置決め装置が設けられることにより、第１メモリカードと第１接続部、及び第２メモリカードと第２接続部の接続力を向上することができることを特徴とする請求項１に記載のメモリカード用コネクタ。
【００１１】
請求項６に記載した考案は、前記第１メモリカードは、ＭＭＣ（登録商標）-Ｍｉｃｒｏカード又はこのＭＭＣ-Ｍｉｃｒｏカードの構造に類似するメモリカードであることを特徴とする請求項１に記載のメモリカード用コネクタである。
【００１２】
請求項７に記載した考案は、前記第２メモリカードは、ＭｉｃｒｏＳＤ（登録商標）カード又はこのＭｉｃｒｏＳＤカードの構造に類似するメモリカードであることを特徴とする請求項１に記載のメモリカード用コネクタである。
【考案の効果】
【００１３】
本考案は  、上記の課題を解決するものであり、一部の端子に押圧部を設けたことにより、第２メモリカードの挿入時に該押圧部を押圧することで、該押圧部を有する端子が第２メモリカードと電気接続できず、同一の端子組で異なるメモリカードを読み取りことを可能とする。
【考案を実施するための最良の形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１は本考案に係るメモリカード用コネクタの分解斜視図であり、図２は本考案に係るメモリカード用コネクタの他の分解斜視図であり、図３は本考案に係るメモリカード用コネクタに第１メモリカードを挿入する状態を示す部分斜視図であり、図４は本考案に係るメモリカード用コネクタに第２メモリカードを挿入する状態を示す部分斜視図である。
【００１６】
図１及び図２に示すように、本考案に係るメモリカード用コネクタは、ベース（１０）と、該ベース（１０）の内部に収容される端子組（３０）と、該ベース（１０）と結合するカバー（２０）と、を備え、該端子組（３０）は、該ベース（１０）の一端に位置される端部（３０１）と、該端部（３０１）からベース（１０）の内部へ伸びる弾性アーム（３０３）を有し、該弾性アーム（３０３）に第１メモリカード（Ａ）と電気接続可能な第１接触部（３０５）と、第２メモリカード（Ｂ）と電気接続可能な第２接続部（３０７）とが設けられ、一部の弾性アーム（３０３）に、更に押圧部（３０９）が設けられることにより、第２メモリカード（Ｂ）をベース（１０）に挿入すると、該押圧部（３０９）を押圧することにより、押圧部（３０９）を有する弾性アーム（３０３）が第２メモリカード（Ｂ）との電気接続できないようにする。
【００１７】
前記ベース（１０）は、中央に異なる規格二つのメモリカードを収容可能な空間が形成され、前記カバー（２０）に設けられる中央プレート（２０５）により、該空間を上下配列の第１収容部（６０）と第２収容部（７０）に分ける。
【００１８】
前記端子組（３０）は、挿入成型方式（Insert  Molding）によりベース（１０）に固定され、又、該ベース（１０）の底面に位置決め装置（４０）と弾性プレート（５０）を設置するために夫々凹溝（１０３）と係合溝（１０５）が形成され、又、該ベース（１０）の両側に複数の係合ブロック（１０１）が設けられることにより、カバー（２０）の両側に形成される係合孔（２０３）と係合することができる。
【００１９】
前記位置決め装置（４０）は、ベース（１０）の凹溝（１０３）に取り付けすると共に、両端に凸部（４０１）が設けられるプレートであり、該位置決め装置（４０）を凹溝（１０３）に設置すると、該凸部（４０１）が凹溝（１０３）の両端に形成される凹部（１０３１）に沿ってガイド溝（１０３３）に移動し、位置決めプレート（１０３５）によって位置決め装置（４０）を固定する。
【００２０】
前記弾性プレート（５０）は、一端に係合プレート（５０１）が設けられると共に、他端に係合凸部（５０３）が設けられるプレートであり、該弾性プレート（５０）をベース（１０）の係合溝（１０５）に取付すると、該係合プレート（５０１）が係合溝（１０５）の係合孔（１０５１）に挿入すると共に、該係合凸部（５０３）が係合溝（１０５）の開口（１０５３）を通じて第１支持部（１０７）から突出すること（図４の参照）により、第２メモリカード（Ｂ）の脱離を防止できる。
【００２１】
前記端子組（３０）の第１接触部（３０５）は、該弾性アーム（３０３）の端部に設けられると共に、その高さが第２接触部の高さより高いことにより、第１メモリカード（Ａ）を第１収容部（６０）に挿入すると、カバー（２０）の係合部（２０１）が確実に第１メモリカード（Ａ）の凹部（Ａ１）と係合する（図３参照）と共に、第１接続部（３０５）が第１メモリカード（Ａ）と電気接続する。
【００２２】
第２メモリカード（Ｂ）を第２収容部（７０）に挿入すると、弾性プレート（５０）の係合凸部（５０３）が確実に第２メモリカード（Ｂ）の凹部（Ｂ１）と係合する（図４参照）と共に、第２接続部（３０７）が第２メモリカード（Ｂ）と電気接続する。又、第２メモリカード（Ｂ）が押圧部（３０９）を押圧するため、該押圧部（３０９）を有する端子は第２メモリカード（Ｂ）と電気接続することができない。そして、該位置決め装置（４０）の設置により、第１メモリカード（Ａ）と第１接続部（３０５）、及び第２メモリカード（Ｂ）と第２接続部（３０７）の接続力を向上することができる。
【００２３】
前記カバー（２０）は、平面部（２０２）と、該平面部（２０２）の両側から湾曲した側プレート（２０４）と、該側プレート（２０４）と隣接する平面部（２０２）の一側から湾曲した側プレート（２０６）とを有し、該側プレート（２０４）（２０６）にベース（１０）の係合ブロック（１０１）と係合する可能な係合孔（２０３）が形成され、その一つの側プレート（２０４）にベース（１０）の内部空間を二つの空間に分ける中央プレート（２０５）が設けられ、又、平面部（２０２）に第１メモリカード（Ａ）と係合可能な係合部（２０１）が設けられることにより、第１メモリカード（Ａ）の脱離を防止できる。
【００２４】
前記第１メモリカード（Ａ）は、ＭＭＣ-Ｍｉｃｒｏカード又はこのＭＭＣ-Ｍｉｃｒｏカードの構造に類似するメモリカードであり、前記第２メモリカード（Ｂ）は、ＭｉｃｒｏＳＤカード又はこのＭｉｃｒｏＳＤカードの構造に類似するメモリカードである。
【産業上の利用可能性】
【００２５】
本考案は  、上記の課題を解決するものであり、一部の端子に押圧部を設けたことにより、第２メモリカードの挿入時に該押圧部を押圧することで、該押圧部を有する端子が第２メモリカードと電気接続できず、同一の端子組で異なるメモリカードを読み取りことを可能とする。
【図面の簡単な説明】
【００２６】
【図１】本考案に係るメモリカード用コネクタの分解斜視図である。
【図２】本考案に係るメモリカード用コネクタの他の分解斜視図である。
【図３】本考案に係るメモリカード用コネクタに第１メモリカードを挿入する状態を示す部分斜視図である。
【図４】本考案に係るメモリカード用コネクタに第２メモリカードを挿入する状態を示す部分斜視図である。
【符号の説明】
【００２７】
Ａ  第１メモリカード
Ｂ  第２メモリカード
１０  ベース
２０  カバー
３０  端子組
４０  位置決め装置
５０  弾性プレート
６０  第１収容部
７０  第２収容部
１０１  係合ブロック
１０３  凹溝
１０５  係合溝
１０７  第１支持部
２０１  係合部
２０２  平面部
２０３  係合孔
２０４  側プレート
２０５  中央プレート
２０６  側プレート
３０１  端部
３０３  弾性アーム
３０５  第１接触部
３０７  第２接触部
３０９  押圧部
４０１  凸部
５０１  係合プレート
５０３  係合凸部
１０３１  凹部
１０３３  ガイド溝
１０３５  位置決めプレート
１０５１  係合孔
１０５３  開口
【図１】
0003129838.tif 000003
【図２】
0003129838.tif 000004
【図３】
0003129838.tif 000005
【図４】
0003129838.tif 000006